(57)【要約】【課題】紫外線光源として紫外線ランプユニットを装備した既設の印刷装置に対して、できるだけ少ない資材コストと取換作業コストとでもって、紫外線ランプユニットをＬＥＤユニットに取換する技術を提供する。【解決手段】紫外線ランプユニットを取付部１１から取り外す工程と、紫外線ランプユニットが取り外された取付部に適合するアダプタユニット４を選択して、当該アダプタユニット４を取付部１１に取り付ける工程と、アダプタユニット４にＬＥＤユニット３を装着する工程と、アダプタユニット４に装着されたＬＥＤユニット３の位置を位置調整手段を用いて調整する工程とからなる紫外線光源取換工法。【選択図】図５
2011005786.tif 000002
【特許請求の範囲】
【請求項１】
紫外線硬化型のインクによる印刷を行う複数の印刷ユニットが前記被印刷物の搬送方向に沿って配置された印刷装置に装備されている、前記被印刷物の印刷面に紫外線の照射を行う紫外線ランプユニットを、紫外線発光ダイオードを有したＬＥＤユニットに取り換える、印刷装置における紫外線光源取換工法において、
前記紫外線ランプユニットを取付部から取り外す工程と、前記紫外線ランプユニットが取り外された取付部に適合するアダプタユニットを選択して、当該アダプタユニットを前記取付部に取り付ける工程と、前記アダプタユニットに前記ＬＥＤユニットを装着する工程と、前記アダプタユニットに装着されたＬＥＤユニットの前記印刷面に対する位置を位置調整手段を用いて調整する工程とからなる紫外線光源取換工法。
【請求項２】
前記アダプタユニットは、前記取付部に固定される固定アダプタ部と、前記取付部に固定された固定アダプタ部に対して少なくとも前記被印刷物の印刷面の直交方向に変位する可動アダプタ部と、前記可動アダプタ部に固定される、ＬＥＤユニットを支持するＬＥＤユニット受け部とから構成され、前記固定アダプタ部に対する前記可動アダプタ部の変位操作が前記搬送方向の横断方向側から行われる請求項１に記載の紫外線光源取換工法。
【請求項３】
前記アダプタユニットへの前記ＬＥＤユニットの装着が前記搬送方向の横断方向側から行われる請求項１または２に記載の紫外線光源取換工法。
【発明の詳細な説明】
【技術分野】
【０００１】
本発明は、紫外線硬化型のインクによる印刷を行う印刷装置に装備されている紫外線ランプユニットと取り外して、紫外線発光ダイオードを有したＬＥＤユニットに取り換える、紫外線光源取換工法に関する。
【背景技術】
【０００２】
紫外線硬化型のインクによる印刷を行う従来の印刷装置では、複数の印刷ユニットが前記被印刷物の搬送方向に沿って配置され、夫々の印刷ユニットの搬送下流位置に前記被印刷物の印刷面に紫外線を照射する紫外線ランプユニットが紫外線光源部として配置されている。
上記のように構成された印刷装置として特許文献１には、圧胴の外周面に沿って複数の印刷装置ユニットを配置し、これらの下流側に紫外線照射装置を配置した凸版輪転印刷機が記載されている。この凸版輪転印刷機では、被印刷物としての軟質塩化ビニルフィルム等を圧胴に供給し、この被印刷物に対して印刷装置ユニットが紫外線硬化型インクで転移印刷を行い、この後に紫外線照射装置で印刷面に紫外線を照射することにより、紫外線硬化型インクの硬化が行われる。この特許文献１では、紫外線照射装置の光源としてメタルハライドランプが使用されているが、ケミカルランプまたは超高圧水銀灯も利用可能であることが記載されている。
【先行技術文献】
【特許文献】
【０００３】
【特許文献１】特開平１１‐１７０６８３号公報（段落番号〔００１０〕〜〔００２９〕、図１）
【発明の概要】
【発明が解決しようとする課題】
【０００４】
特許文献１に記載されるもののように、紫外線硬化型インクで印刷を行い、印刷の直後に印刷面に対して紫外線の照射を行う印刷装置では、紫外線硬化型インクを硬化させるための紫外線光源としては、充分な光量が得られる点、及びランプコストの点から高圧水銀灯の使用が一般的である。しかしながら、高圧水銀灯では、１つの光源の消費電力が１キロワットを超える電力を必要とするのが現状である。このようなランプ類では、安定器を含めた電源装置の大型化を招くばかりでなく、使用時間が２０００時間程度に達すると取換を必要とするものであり改善の余地がある。
紫外線光源として、最近では多数の紫外線発光ダイオードを配設したＬＥＤユニットが提案されている。このＬＥＤユニットは省電力の要望を満たすとともに、その紫外線発光ダイオードの寿命がランプ等に比較して桁違いに長いことから、照明ユニットとしてのＬＥＤユニットが多数の紫外線発光ダイオードから構成されているにもかかわらず、その保守点検の負担も小さくなる。しかしながら、特許文献１のような、紫外線ランプユニットを装備した既設の印刷装置では、まだ減価償却が終了していないものが数多くあり、上記のような多くの利点があるとしても、この既設の印刷装置を破棄して、紫外線照射装置として紫外線ＬＥＤユニットを装備した印刷装置を新設することは無理がある。このため、紫外線光源として紫外線ランプユニットを装備した既設の印刷装置において、既設の印刷装置の構造をできるだけ流用して、紫外線ランプユニットを紫外線ＬＥＤユニットに置き換えた印刷装置に作り替えることが要望されている。
本発明の目的は、紫外線光源として紫外線ランプユニットを装備した既設の印刷装置に対して、できるだけ少ない資材コストと取換作業コストとでもって、紫外線ランプユニットをＬＥＤユニットに取換する技術を提供することである。
【課題を解決するための手段】
【０００５】
上記目的を達成するため、紫外線硬化型のインクによる印刷を行う複数の印刷ユニットが前記被印刷物の搬送方向に沿って配置された印刷装置に装備されている、前記被印刷物の印刷面に紫外線の照射を行う紫外線ランプユニットを、紫外線発光ダイオードを有したＬＥＤユニットに取り換える紫外線光源取換工法が、本発明で提案され、その特徴は、前記紫外線ランプユニットを取付部から取り外す工程と、前記紫外線ランプユニットが取り外された取付部に適合するアダプタユニットを選択して、当該アダプタユニットを前記取付部に取り付ける工程と、前記アダプタユニットに前記ＬＥＤユニットを装着する工程と、前記アダプタユニットに装着されたＬＥＤユニットの前記印刷面に対する位置を位置調整手段を用いて調整する工程とからなることである。
【０００６】
この紫外線光源取換工法では、既設印刷装置において、紫外線ランプユニットが取り付けられていた取付部から紫外線ランプユニットを外して、その取付部にアダプタユニットを取り付ける。このアダプタユニットは、紫外線光源の取換対象となる印刷装置によって要求される位置にＬＥＤユニット（正確には紫外線発光ダイオードユニット）を配置するため、取付部とのＬＥＤユニットとの間の幾何学的な形状関係を解消する仲介部材である。従って、このアダプタユニットは取付部との間で正確に位置決めできる被取付部を備えるとともに、ＬＥＤユニットを適正な位置に装着させる被装着部を備えている。このようなアダプタユニットが用意されることにより、結果的にアダプタユニットの仲介のもとでＬＥＤユニットが紫外線ランプユニットの代わりに取付部に取り付けることができる。さらに、印刷機械、とくに印刷ユニットの仕様によって、印刷ユニットに対するＬＥＤユニットの位置、つまり紫外線放射面の位置が異なるが、この要求に対応するため、アダプタユニットを介して印刷ユニット近傍の取付部に取り付けられたＬＥＤユニットは、位置調整手段を用いて、印刷ユニットに対する位置、つまり被印刷物の印刷面に対するその位置が調整される。これにより、取換されたＬＥＤユニットは各印刷ユニットによって要求される紫外線照射仕様を満足することができる。つまり、本発明による紫外線光源取換工法によって、既設の印刷装置に対して、最小限の部品追加で、紫外線ランプユニットと取換で、紫外線発光ダイオードを有したＬＥＤユニットを取り付けることができる。そして、その紫外線光源取換作業後は、この既設の印刷装置は、紫外線光源の省電力化と長寿命化の利益を享受することができる。
【０００７】
本発明の好適な実施形態の１つでは、前記アダプタユニットは、前記取付部に固定される固定アダプタ部と、前記取付部に固定された固定アダプタ部に対して少なくとも前記被印刷物の印刷面の直交方向に変位する可動アダプタ部と、前記可動アダプタ部に固定される、ＬＥＤユニットを支持するＬＥＤユニット受け部とから構成され、前記固定アダプタ部に対する前記可動アダプタ部の変位操作が前記搬送方向の横断方向側から行われる。この特徴構成によれば、アダプタユニットそれ自体に、アダプタユニットに装着されたＬＥＤユニットの前記印刷面に対する位置を位置調整手段の具体的の構成として、前記取付部側の固定アダプタ部に対して前記ＬＥＤユニット側の可動アダプタ部を少なくとも前記被印刷物の印刷面の直交方向に変位する変位機構が備えられている。その際、固定アダプタ部は前記取付部に固定され、可動アダプタ部はＬＥＤユニットを支持するＬＥＤユニット受け部を設けている。さらに、このＬＥＤユニットの位置調整作業において、前記搬送方向の横断方向側から変位機構を操作することができる。一般的には、既設の印刷装置においても搬送方向横断方向で少なくとも一方側だけがフリースペースとなっていること考慮すれば、このことは、紫外線光源取換作業を容易なものとする。
【０００８】
また、前記アダプタユニットへの前記ＬＥＤユニットの装着が前記搬送方向の横断方向側から行われるようにすれば、紫外線光源取換作業後のＬＥＤユニットの保守点検が容易となる。つまり、ＬＥＤユニットの紫外線放射面などの汚れをクリーニングする際には、一般的には開放されている搬送方向横断方向の一方側からＬＥＤユニットを取り出し、紫外線放射面をクリーニングした後、再びＬＥＤユニットをアダプタユニットに装着することができる。
【図面の簡単な説明】
【０００９】
【図１】印刷装置に対する本発明による紫外線光源取換工法における１つの工程の実施形態を説明する説明図である。
【図２】印刷装置に対する本発明による紫外線光源取換工法における１つの工程の実施形態を説明する説明図である。
【図３】印刷装置に対する本発明による紫外線光源取換工法における１つの工程の実施形態を説明する説明図である。
【図４】印刷装置に対する本発明による紫外線光源取換工法における１つの工程の実施形態を説明する説明図である。
【図５】印刷装置に対する本発明による紫外線光源取換工法における１つの工程の実施形態を説明する説明図である。
【図６】本発明による紫外線光源取換工法に用いられたアダプタユニットの一例を示す平面図である。
【図７】本発明による紫外線光源取換工法に用いられたアダプタユニットの一例を示す正面図である。
【図８】本発明による紫外線光源取換工法に用いられたアダプタユニットの一例を示す側面図である。
【図９】ＬＥＤユニットの分解斜視図である。
【図１０】ＬＥＤユニットの断面図である。
【図１１】別実施形態としての間欠型の印刷装置の概要を示す側面図である。
【図１２】別実施形態としての間欠型の印刷装置の概要を示す平面図である。
【発明を実施するための形態】
【００１０】
以下、本発明の実施の形態を図面に基づいて説明する。
図１に、センタードラム１と、このセンタードラム１の外周に沿って配置された複数の印刷ユニット２と、夫々の印刷ユニット２で印刷が行われた被印刷物の印刷面に紫外線を照射するＵＶランプユニット３００とを備えた、既設のサテライト型の印刷装置が示されている。
夫々の印刷ユニット２は、紫外線硬化型インクを被印刷物の印刷面に付与したのち紫外線によってインクの定着を行う印刷を行う印刷方式であり、ブラック（Ｋ）、シアン（Ｃ）、マゼンタ（Ｍ）、イエロー（Ｙ）の少なくとも４色に対応した数だけ備えられている。尚、図面に示すように複数の印刷ユニット２はブラック（Ｋ）、シアン（Ｃ）、マゼンタ（Ｍ）、イエロー（Ｙ）に対応して、２Ｋ、２Ｃ、２Ｍ、２Ｙの符号を付している。さらに、印刷搬送方向で最終段の図中２Ｐは、表面仕上げ等の目的で透明インク（ＯＰ）の印刷を行う印刷ユニットである。
【００１１】
図1で示すように、既設の印刷装置の取付部１１に取り付けられているＵＶランプユニット３００は、高い電力消費や短いランプ寿命という欠点を有するので、多数の紫外線発光ダイオードを備えたＬＥＤユニット３への取換が要望されている。そのようなＵＶランプユニット３００からＬＥＤユニット３への取換作業において、可能な限り取換作業コストを抑えるためには、印刷装置の改造を伴わないことが重要である。そのため、本発明の紫外線光源取換工法では、ＵＶランプユニット３００を印刷ユニット２または印刷ユニット２の周辺部材に取り付けるために用いられていた取付部１１を実質的にそのままＬＥＤユニット３の取り付けのために利用することで、印刷装置の機械構造的な改変を不必要にしている。従って、この紫外線光源取換工法では、まず取付部１１からＵＶランプユニット３００が取り外される（図２参照）。
【００１２】
次に、ＵＶランプユニット３００が取り外された取付部１１に取り付けることができるアダプタユニット４が用意される（図３参照）。このアダプタユニット４は、後で詳しく説明されるが、取付部１１に固定される固定アダプタ部４０と、固定アダプタ部４０に対して互いに直交しているＸ方向とＹ方向に変位可能な可動アダプタ部５０と、可動アダプタ部５０に固定（ここではねじ固定）されるＬＥＤユニット受け部６０とから構成されている。ＬＥＤユニット受け部６０は筒形状に形成されており、その内部にＬＥＤユニット３を入れ子状で収容することができる。ＬＥＤユニット受け部６０のＬＥＤユニット３を収容するための形状は、ＬＥＤユニット３の種類に応じて適応するように設計されているが、可動アダプタ部５０との固定方式は共通化されている。
【００１３】
可動アダプタ部５０に適正なＬＥＤユニット受け部６０を固定して、組み上げられたアダプタユニット４は、固定アダプタ部４０のクロスプレート４２によって連結されたブラケット板４１に形成さ取付手段４１ａ、例えば取付孔を用いて取付部１１に取り付けられ(図４参照)。この取付手段４１ａとして、取付部１１の寸法形状や取付方式に対応するものがブラケット板４１に予め設けることができる。
【００１４】
印刷ユニット２の取付部１１にアダプタユニット４が取り付けられると、ＬＥＤユニット受け部６０にＬＥＤユニット３が挿入される(図５参照)。ＬＥＤユニット受け部６０は、図３と図５から明らかなように、有底角パイプ状となる形状を有すると共に、対向する２つの側壁６１にスリット状のガイド溝６２が形成されている。このＬＥＤユニット受け部６０の底壁６３の内面にはドロアコネクタのレセプタクル部６４が備えられている。ここでは図示されていないが、レセプタクル部６４を設けた底壁６３の外面には電源装置が装備されている。ＬＥＤユニット３の構造は、後で詳しく説明されるが、全体として細長い直方体形状を有する。外部カバー３５ｃから開放された側面には紫外線射出部３Ａが配置されており、この側面以外の外部カバー３５ｃの側面には多数の通気用のグレーチング部が形成されている。また、紫外線射出部３Ａが配置されている側面に隣接する外部カバー３５ｃの側面には、ＬＥＤユニット受け部６０に設けられたガイド溝６２に係合可能な複数（ここでは３個）のガイドローラ３１が遊転支承され、第１端面カバー３５ｃにはハンドル３２が設けられている。長手方向に延びたガイド溝６２に案内されてＬＥＤユニット３のガイドローラ３１が移動することで、ＬＥＤユニット３がＬＥＤユニット受け部６０の内部にスライド挿入される。
【００１５】
なおこの実施形態では、このガイド溝６２はＬＥＤユニット３の装入方向である印刷幅方向に直線状に延びた直線部分とその直線部分からセンタードラム１に接近する方向に分岐または湾曲した３つの湾曲部とからなる。湾曲部同士の間隔はガイドローラ３１の配置ピッチに合わされている。つまり、この湾曲部は、直線部分から分岐してセンタードラム１に接近する方向に斜めに延びる斜め溝部と、この斜め溝部の先端から折れ曲がって直線部分と平行に小さく延びる端溝部とを含んでいる。３つのガイドローラ３１が各湾曲部に案内されることで、ＬＥＤユニット３がセンタードラム１の方に突き出すような姿勢で最終位置にセットされる。より詳しくは、最初の湾曲部分（斜め溝部）のところでＬＥＤユニット３をセンタードラム１の方に接近する方向に変位させ、これに続く端溝部でＬＥＤユニット３を直線的に移動させ、最終的にレセプタクル部６４とプラグ部３４とが連結する。
【００１６】
図面では正確に示されていないが、３つの湾曲部のうち挿入方向での下流側の２つの間隔と、これに続く湾曲部との間隔とを異ならせ、この間隔に対応して３つのガイドローラ３１を配置することが好ましい。これにより、ＬＥＤユニット３をＬＥＤユニット受け部６０に挿入する際に、先頭のガイドローラ３１が対応する湾曲部以外の湾曲部に進入する位置に達しても、次のガイドローラ３１が湾曲部に達していないので、対応しない湾曲部に進入する不都合を抑制することができる。
【００１７】
ＬＥＤユニット３の前面としての第１端面カバー３５ｃには、さらに表示手段として表示面にタッチパネルが形成された液晶ディスプレイ３３を備えている。ＬＥＤユニット３の後面としての第２端面カバー３５ｄには、ＬＥＤユニット受け部６０に設けられたレセプタクル部６４と接続するドロアコネクタプラグ部３４が設けられている。このレセプタクル部６４とドロアコネクタプラグ部３４との連結がＬＥＤユニット受け部６０に対するＬＥＤユニット３のストッパの役目を果たしているが、これとは別に位置保持ストッパとして機能するデテント機構をＬＥＤユニット受け部６０とＬＥＤユニット３との間に設けてもよい。このような入れ子状のスライド収納取り出し構造を採用したことにより、印刷ユニット（印刷装置）２の被印刷物搬送方向の横断方向の一方側から、つまり一般的に保守点検者のアクセスが許されている方向から、ＬＥＤユニット３の出し入れを簡単に行うことができる。このことにより、その後のＬＥＤユニット３の保守点検作業も簡単となる。ＬＥＤユニット受け部６０へのＬＥＤユニット３の装着は、アダプタユニット４を取付部１１に取り付ける前に行ってもよいが、取付作業時にＬＥＤユニット３に損傷を与える事を避けるためには、後からのほうが好ましい。
【００１８】
ここまでの作業により、印刷ユニット２へのＬＥＤユニット３の取り付けは完了するが、印刷ユニット２の仕様によって、印刷ユニット２に対するＬＥＤユニットの位置、つまり紫外線放射面の位置が異なるので、アダプタユニット４に組み込まれている姿勢変位機構を用いてＬＥＤユニット３をＸ方向とＹ方向とに変位させることで、印刷ユニット２に対する位置、つまり被印刷物の印刷面に対するその位置を調整する必要がある。このＸ方向とＹ方向との変位操作も、このアダプタユニット４においては、印刷ユニット２の被印刷物搬送方向の横断方向の一方側から行うことができる。なお、印刷搬送方向の最終領域には、仕上げ照射を行う比較的大光量の紫外線を照射することができる仕上げ紫外線照射部３Ａが配置されている。この仕上げ紫外線照射部３Ａとしては、大光量の紫外線照射が要求されるので、紫外線ランプユニット３００をそのまま残しておいてもよい。
【００１９】
次に、そのような位置調整手段７０を含め、アダプタユニット４の構造を、図３、図６、図７、図８を用いて、以下に説明する。
このアダプタユニット４は、上述したように取付部１１に取り付けられる固定アダプタ部４０と、可動アダプタ部５０と、可動アダプタ部５０に固定されているＬＥＤユニット受け部６０とからなる。さらに、可動アダプタ部５０は第１可動台５１と第２稼動台５２との分割構造体として構成されている。第１可動体台５１は、固定アダプタ部４０のクロスプレート４２に対してＸ方向に変位させる印刷搬送方向変位機構７０Ａによって変位可能に連結支持されている。また、第２稼動台５２は、第１可動体台５１に対してＹ方向に変位させる遠近変位機構７０Ｂによって変位可能に連結支持されている。
【００２０】
印刷搬送方向変位機構７０Ａは、Ｚ方向（前記Ｘ方向と前記Ｙ方向とに直交する方向）に延びた操作軸７１ａと、Ｘ方向に延びた送りねじ軸７３ａと、操作軸７１ａの回転力を送りねじ軸７３ａに伝達する方向転換動力伝達手段としてのベベルギヤユニット７２ａと、送りねじ軸７３ａと螺合しているコマ部材７４ａと、送りねじ軸７３ａの両側で送りねじ軸７３ａに平行にＸ方向に延びた一対のガイドロッド７５ａとを備えている。操作軸７１ａは、クロスプレート４２に設けられた軸受けブラケット４３によって回転可能に支持されている。さらに操作軸７１ａのブラケット板４１を貫通して外側に突き出した延長軸部にはこの操作軸７１ａを回転操作するための操作体７６ａが設けられている。方向転換動力伝達手段としてのベベルギヤユニット７２ａはウオームギヤ対やその他の方向転換動力伝達部材に変更可能である。ねじ軸７３ａは、図示は省略されているがブッシュ等によってクロスプレート４２に回転可能かつ軸方向移動しないように支持されている。コマ部材７４ａは、ねじ送り機構としてよく知られているように、ねじ軸７３ａと協働して機能する移動体であり、ここでは第１可動台５１に固定されている。従って、コマ部材７４ａ、結果的には第１可動台５１は、ねじ軸７３ａの回転によってＸ方向に変位する。ガイドロッド７５ａは、第１可動台５１のＸ方向に変位を案内する。
【００２１】
遠近変位機構７０Ｂも実質的には印刷搬送方向変位機構７０Ａと同様な構成を有し、Ｚ方向に延びた操作軸７１ｂと、Ｙ方向に延びた送りねじ軸７３ｂと、操作軸７１ｂの回転力を送りねじ軸７３ｂに伝達する方向転換動力伝達手段としてのベベルギヤユニット７ｂと、送りねじ軸７３ｂと螺合しているコマ部材７４ｂと、送りねじ軸７３ｂの両側で送りねじ軸７３ｂに平行Ｙ方向に延びた一対のガイドロッド７５ｂとを備えている。操作軸７１ｂは、第１可動台５１に設けられた軸受けブラケット５１ａによって回転可能に支持されている。さらに操作軸７１ｂのブラケット板４１を貫通して外側に突き出した延長軸部にはこの操作軸７１ｂを回転操作するための操作体７６ｂが設けられている。なお、この操作軸７１ｂは、固定アダプタ部４０に対してつまりブラケット板４１に対してＸ方向に変位するので、操作軸７１ｂの貫通を許すためにブラケット板４１に設けられた貫通孔はＸ方向に延びた長孔または切り欠きとして形成されている。ここでも、方向転換動力伝達手段としてのベベルギヤユニット７２ａはウオームギヤ対やその他の方向転換動力伝達部材に変更可能である。ねじ軸７３ｂは、詳細な図示は省略されているがブッシュ等によって第１可動台５１に回転可能かつ軸方向移動しないように支持されている。コマ部材７４ｂは、ねじ軸７３ｂと協働して機能する移動体であり、ここでは第２可動台５２に固定されている。従って、コマ部材７４ｂ、結果的には第２可動台５２は、ねじ軸７３ｂの回転によってＹ方向に変位する。ガイドロッド７５ｂは、第２可動台５２のＹ方向に変位を案内する。
【００２２】
以上の説明から明らかなように、この実施形態では、アダプタユニット４に装着されたＬＥＤユニット３を、この印刷ユニット２によって印刷される被印刷物の印刷面に対する位置を調整する位置調整手段７０が、印刷搬送方向変位機構７０Ａと遠近変位機構７０Ｂとから構成されており、両者がアダプタユニット４に組み込まれている。しかも、印刷搬送方向変位機構７０Ａを操作する操作体７６ａと遠近変位機構７０Ｂを操作する操作体７６ｂとは、この印刷ユニット２における被印刷物の搬送方向の横断方向の一方側、つまり、通常保守点検者による保守点検を可能するフリースペースが確保されている側から操作できるように構成されている。操作体７６ａを回動操作することにより、ＬＥＤユニット３がＸ方向、つまり被印刷物の搬送方向に実質的に沿う方向に変位し、操作体７６ｂを回動操作することにより、ＬＥＤユニット３がＹ方向、つまり被印刷物の印刷面に対する直交方向で遠近変位する。これにより、このアダプタユニット４のＬＥＤユニット受け部６０にＬＥＤユニット３を挿入固定した後に、ＬＥＤユニット３の仕様通りの位置決めを容易に行うことができ、被印刷物に対する最適な紫外線放射が可能となる。
【００２３】
次に、図９と図１０とを用いてＬＥＤユニット３の構造を説明する。ＬＥＤユニット３は１つの面に紫外線射出部３Ａを形成した構造を有し、任意の姿勢で使用できるものであるが、ここでは図９と図１０に示すように紫外線射出部３Ａが上面にある姿勢に基づいて構成を説明する。
【００２４】
紫外線射出部３Ａには紫外線が透過する透明素材として石英ガラス等を用いた汚れ防止板３６を備え、この下側に反射面３７Ｒとスリット状開口３７Ｓとを有するリフレクタ部材３７を備え、この下側に多数の紫外線発光ダイオードＤを有するアルミニウム製の基板３８を備えている。この基板３８の下面側には多数のヒートシンク９３が突出形成され、これを覆う内部カバー３５ａに３つの冷却ファン９１を備え、これを覆う外部カバー３５ｂを備え、更に、長手方向の端部位置には第１端面カバー３５ｃと第２端面カバー３５ｄとを備えている。
【００２５】
図９に示すように、３枚の汚れ防止板３６が枠体３６Ｆに支持され、この枠体３６Ｆの長手方向の一方の端部にグリップ３６Ｇが一体的に形成されている。尚、汚れ防止板３６による密封性能を高めるために、枠体３６Ｆの外周部分や、スライド溝３７Ｇにシール部材を備えても良い。更に、紫外線発光ダイオードＤが備えられた空間に対する塵埃等の侵入を阻止するため、基板３８とリフレクタ部材３７との接触面にシール部材を備えても良い。
【００２６】
リフレクタ部材３７にはアルミニウムやステンレス等の金属の素材が用いられ、この素材を研磨し鏡面に仕上げることで上側には反射面３７Ｒが形成され、下側には基板３８に支持された複数の紫外線発光ダイオードＤを収容する凹部が形成されている。また、リフレクタ部材３７の表面側（上側）には、枠体３６Ｆをスライド移動自在に支持する一対のスライド溝３７Ｇが平行姿勢で形成されている。このスライド溝３７Ｇは、ＬＥＤユニット３を印刷ユニット２に固定されたアダプタユニット４に装着した状態において保守点検作業のために印刷ユニット２の被印刷物搬送方向の横断方向に開放しており、この開放部位からスライド溝３７Ｇに対し汚れ防止板３６の挿抜が可能となる。
【００２７】
また、枠体３６Ｆは鉄やニッケルを含む合金等の磁性体で構成され、スライド溝３７Ｇに汚れ防止板３６を適正な装着位置まで挿入した際に枠体３６Ｆを吸着する永久磁石Ｍｇがリフレクタ部材３７に備えられている。この磁性体の枠体３６Ｆと永久磁石Ｍｇとによって保持機構が構成され、作業領域Ｓから作業者がグリップ３６Ｇを握り、汚れ防止板３６の挿入操作による装着と、引き出し操作による取り外しとが可能となり、適正な装着位置まで挿入した場合には、枠体３６Ｆの端部が永久磁石Ｍｇに吸着され装着状態が維持される。
【００２８】
尚、保持機構として、枠体３６Ｆに永久磁石Ｍｇを備え、リフレクタ部材３７に鉄片等の磁性体を備えても良い。また、保持機構として、枠体３６Ｆに凹部を形成し、枠体３６Ｆが適正な位置まで挿入した際に、凹部に係合するバネ体等を備えることで装着状態を機械的に保持する構造のものを用いても良い。
【００２９】
汚れ防止板３６は、装着状態でリフレクタ部材３７の反射面３７Ｒと平行姿勢となり、枠体３６Ｆの下面がリフレクタ部材３７の上面に密着する。これにより汚れ防止板３６が、紫外線発光ダイオードＤが備えられた空間と外部空間とを隔絶し、紫外線発光ダイオードＤが備えられた空間が密封状態に維持される。
【００３０】
紫外線硬化型インクに紫外線を照射した場合には、紫外線硬化型インクの成分の一部が昇華することや蒸発した後、近傍の部材に付着して析出する現象が確認されている。この析出物が紫外線発光ダイオードＤの表面に付着した場合には紫外線の光量が低下することになるが、紫外線発光ダイオードＤが備えられた空間を汚れ防止板３６で密封するので、紫外線発光ダイオードＤやリフレクタ部材３７の表面への析出物の付着を抑制できる。また、汚れ防止板３６に析出物の付着を招くことになるが、この汚れ防止板３６を取り外して作業者が拭き取ることで析出物の除去を除去に行え、紫外線量の低下を招くことがない。
【００３１】
この実施形態では、１０個の紫外線発光ダイオードＤを１単位として、この紫外線発光ダイオードＤが絶縁面を形成した帯状の支持体３８Ａに直線状に支持され、この支持体３８Ａが基板３８に対して取り外し可能に支持されている。図面には示していないが、支持体３８Ａに支持した１０個の紫外線発光ダイオードＤは直列に接続され、この支持体３８Ａ毎に定電流回路から電力が供給される。また、１単位のうちの１つの紫外線発光ダイオードＤの光量が低下した場合でも、１０個の紫外線発光ダイオードＤを支持する支持体３８Ａの取り換えが行われる。
【００３２】
同図に示す如く、紫外線発光ダイオードＤが５列となり、隣接する紫外線発光ダイオードＤが千鳥配置になるように支持体３８Ａの相対的な位置関係が設定されている。このように紫外線発光ダイオードＤの列のうち隣接するもの同士で千鳥配置することにより、列方向での光量が不均一になる現象を解消している。尚、支持体３８Ａに支持される紫外線発光ダイオードＤの数は１０個に限るものではなく、１０個未満でも１０個を超える数であっても良い。
【００３３】
特に、５列に備えられた複数の紫外線発光ダイオードＤのうち、被印刷物の搬送方向の上流側に波長が３８５ｎｍの性能となる２列の紫外線発光ダイオードＤを配置し、この搬送方向での下流側に波長が３６５ｎｍの性能となる３列の紫外線発光ダイオードＤを配置している。
【００３４】
このように被印刷物の搬送方向の上流側に波長の長いものを配置し、この下流側に波長の短いものを配置することで、長い波長の紫外線によりインクの内部まで紫外線を到達させて内部から硬化を行わせ、次に、短い波長の紫外線によりインクの表面の硬化を確実に行わせるようにしている。
【００３５】
この５列の紫外線発光ダイオードＤから光線を直線的に送り出すように、リフレクタ部材３７のスリット状開口３７Ｓの位置が設定されている。このような構造により、スリット状開口３７Ｓから送り出された紫外線を被印刷物の表面に照射し、被印刷物の印刷面で反射した紫外線が反射面３７Ｒに達し、この反射面３７Ｒで反射され、再び被印刷物の印刷面に送り出すことになる。
【００３６】
内部カバー３５ａは、グレーチング部を有しており、ヒートシンク９３の部位から基板３８を覆う位置に連結される。この内部カバー３５ａでヒートシンク９３の直下位置にヒートシンク９３に冷却風を供給する３つの電動型の冷却ファン９１が備えられている。外部カバー３５ｂは、グレーチング部を有しており、冷却ファン９１を覆う位置に配置され内部カバー３５ａに連結される。
【００３７】
第１端面カバー３５ｃには冷却ファン９１に供給する空気に含まれる塵埃を除去する除塵フィルタ３５の挿入と抜き出しとが可能となるスリット３３Ｓが形成されている。除塵フィルタ３５は、除塵フィルタ３５の厚さ方向に所定幅を有する矩形のフレーム３５Ｆに支持され、このフレーム３５Ｆの端部には作業者が摘むことが可能なグリップ部３５Ｇが形成されている。そして、第１端面カバー３５ｃに形成されるスリット３３Ｓはフレーム３５Ｆの挿抜自在となるサイズで形成されている。このフレーム３５Ｆを備えることにより、除塵フィルタ３５を引き出した場合にも、除塵フィルタ３５の表面に付着した塵埃がスリット３３Ｓの開口縁に接触して脱落する不都合が解消される。
【００３８】
このような冷却系を備えているので、外部カバー３５ｂの底面側のグレーチング部を介して吸引した外気は、除塵フィルタ３５で塵埃が除去された状態で冷却ファン９１に吸引され、ヒートシンク９３に対して供給され、内部カバー３５ａの側面のグレーチング部からユニット外部に排出される。
【００３９】
〔別実施の形態〕
（１）上述した実施形態の説明では、印刷搬送方向変位機構７０Ａを操作する操作体７６ａと遠近変位機構７０Ｂを操作する操作体７６ｂはマニュアル操作型であったが、どちらか一方あるいは両方を電子制御されるモータ駆動によって回動操作するよう構成することも可能である。また、印刷搬送方向変位機構７０Ａと遠近変位機構７０Ｂのいずれか一方だけを備える構成や、さらには、印刷搬送方向と遠近方向との両方向に直交する、いわゆる印刷幅方向にＬＥＤユニット３を変位させる変位機構と追加して、好ましくは３つの操作体を搬送方向の横断方向の一方側から操作可能とする構成を採用することも、本発明において可能である。
（２）上述した実施形態で取り上げられた印刷装置はサテライト型であったが、これに代えて、図１１、図１２に示すように、圧胴１０１と、これに対向する位置に配置された印刷ユニット２として、圧胴に接触するゴム胴１０２と、このゴム胴１０２に紫外線硬化型インクを転写する版胴１０３と、被印刷物Ｐを送り出す渡胴１０４とで成る印刷系を被印刷物Ｐの搬送方向に沿って直線的に配置したオフセット枚葉型の印刷装置にも適用できる。同図において、前述した構成と同じ構成については、前述した構成と共通する番号・符号を付している。尚、本発明は間欠型の印刷装置にも同様に適用できる。いずれにせよ、このような印刷装置でも、圧胴１０１で送られる被印刷物Ｐの近傍位置に紫外線照射部３として使用されていたＵＶランプユニット３００を、本発明による工法で、多数の紫外線発光ダイオードを備えたＬＥＤユニット３に取り換えることができる。また、ＬＥＤユニット２０の位置調整作業、ＬＥＤユニット２０のアダプタユニット４への装入及びアダプタユニット４からの取り出し作業は、印刷ユニット（印刷装置）２の被印刷物搬送方向の横断方向の一方側から可能に構成される。
【符号の説明】
【００４０】
２：印刷ユニット
３：ＬＥＤユニット
４：アダプタユニット
１１：取付部
４０：固定アダプタ部
５０：可動アダプタ部
５１：第１可動台
５２：第２稼動台
６０：ＬＥＤユニット受け部
７０：位置調整手段
７０Ａ：印刷搬送方向変位機構
７０Ｂ：遠近変位機構
３００：ＵＶランプユニット
【図１】
2011005786.tif 000003
【図２】
2011005786.tif 000004
【図３】
2011005786.tif 000005
【図４】
2011005786.tif 000006
【図５】
2011005786.tif 000007
【図６】
2011005786.tif 000008
【図７】
2011005786.tif 000009
【図８】
2011005786.tif 000010
【図９】
2011005786.tif 000011
【図１０】
2011005786.tif 000012
【図１１】
2011005786.tif 000013
【図１２】
2011005786.tif 000014